(57)【特許請求の範囲】
【請求項１】
第１誘導体と第２誘導体を備え、
前記第１誘導体は、利用者の左肩付近に装着される左肩装着部と、
前記利用者の右股関節または右太腿の付け根付近に円環状となって装着される右脚装着部と、
前記利用者の背面側を通り、前記左肩装着部と前記右脚装着部とを接続し、互いに近づく方向へ引っ張る第１引張体と、を有し、
前記第２誘導体は、前記利用者の右肩付近に装着される右肩装着部と、
前記利用者の左股関節または左太腿の付け根付近に円環状となって装着される左脚装着部と、
前記利用者の背面側を通り、前記右肩装着部と前記左脚装着部とを接続し、互いに近づく方向へ引っ張る第２引張体と、を有する
姿勢誘導用具。
【請求項２】
前記右脚装着部は、前記第１引張体の一端に直接接続されており、
前記左脚装着部は、前記第２引張体の一端に直接接続されている
請求項１記載の姿勢誘導用具。
【請求項３】
前記第１引張体または前記第２引張体の一方に他方との交差状態の維持を補助する交差補助体を有し、
前記交差補助体は、前記一方の長手方向に沿って両端が固定され、
前記一方と前記交差補助体の間に前記他方の幅の１．５倍以上の長さの空間を設け、
前記空間内で前記他方が移動できる構成である
請求項１または２記載の姿勢誘導用具。
【発明の詳細な説明】
【技術分野】
【０００１】
この発明は、ヒトの姿勢を誘導するような姿勢誘導用具に関する。
【背景技術】
【０００２】
姿勢の悪さや身体のバランスの悪さは、スタイルや見た目が悪くなるといった美容面ばかりでなく、肩こりや腰痛などの身体の不調を引き起こす原因ともなり得る。しかしながら、普通人が皆、正しい姿勢、良いバランスで過ごせているわけではなく、何らかの歪みのある場合がほとんどである。
【０００３】
姿勢を矯正するものとして、例えば姿勢矯正ベルトが提案されている（特許文献１参照）。姿勢矯正ベルトは、利用者の両肩に装着し、両肩を背中方向に引っ張ることで姿勢を矯正するよう設計されている。しかし、このような姿勢矯正ベルトは、利用者の肩周辺のみを矯正する構成となっており、上半身全体および身体全体の姿勢やバランスを正せるものではなかった。
【先行技術文献】
【特許文献】
【０００４】
【特許文献１】特開２０１５−７３７８１号公報
【発明の概要】
【発明が解決しようとする課題】
【０００５】
この発明は、上述の問題に鑑みて、身体全体を正しい姿勢に誘導し、身体のバランスを整える姿勢誘導用具を提供することを目的とする。
【課題を解決するための手段】
【０００６】
第１誘導体と第２誘導体を備え、前記第１誘導体は、利用者の左肩付近に装着される左肩装着部と、前記利用者の右股関節または右太腿の付け根付近に円環状となって装着される右脚装着部と、前記利用者の背面側を通り、前記左肩装着部と前記右脚装着部とを接続し、互いに近づく方向へ引っ張る第１引張体と、を有し、前記第２誘導体は、前記利用者の右肩付近に装着される右肩装着部と、前記利用者の左股関節または左太腿の付け根付近に円環状となって装着される左脚装着部と、前記利用者の背面側を通り、前記右肩装着部と前記左脚装着部とを接続し、互いに近づく方向へ引っ張る第２引張体と、を有することを特徴とする。
【発明の効果】
【０００７】
この発明により、利用者の身体全体を正しい姿勢に誘導することで、身体のバランスを整えることができる。
【図面の簡単な説明】
【０００８】
【図１】利用者が装着した際の本発明に係る姿勢誘導用具の背面図。
【図２】利用者が装着した際の本発明に係る姿勢誘導用具の正面図。
【図３】第１誘導体と第２誘導体が交差する交差部を説明する斜視図。
【発明を実施するための形態】
【０００９】
発明者は、歯科医として歯の治療を行ううちに、歯の治療によって頭痛などの身体や精神の不調が治まることに気づいた。その後、鋭意研究した結果、歯のバランスの不良による身体や精神の不調だけでなく体のバランスの不良によっても身体や精神が不調となり体のバランスを改善することで体や精神の不調を改善できることに気づいた。誰でも自分で体のバランスを整え身体や精神の不調を改善しその人の最高のパフォーマンスを発揮できるように発明者の長年の経験と実績を基に開発されたものである。
以下、本発明の一実施形態を図面と共に説明する。
図１は利用者が装着した際の姿勢誘導用具１の背面図である。
図２は利用者が装着した際の姿勢誘導用具１の正面図である。
【００１０】
姿勢誘導用具１は、第１誘導体Ａと、第２誘導体Ｂを有する。第１誘導体Ａは、左肩装着部１０Ｌと、右脚装着部７０Ｒと、左肩装着部１０Ｌと右脚装着部７０Ｒを繋ぐ第１引張体２０ａとで構成されている。第２誘導体Ｂは、右肩装着部１０Ｒと、左脚装着部７０Ｌと、右肩装着部１０Ｒと左脚装着部７０Ｌを繋ぐ第２引張体２０ｂとで構成されている。
【００１１】
左肩装着部１０Ｌと右肩装着部１０Ｒはそれぞれ利用者の左肩と右肩に装着され、第１引張体２０ａと第２引張体２０ｂは利用者の背中側を通り、左脚装着部７０Ｌと右脚装着部７０Ｒはそれぞれ利用者の左脚付け根付近と右脚付け根付近に装着される。
【００１２】
左肩装着部１０Ｌは、第１引張体２０ａの一端４０Ｌから２つに分かれた先を繋いだ円環状に形成されている。また、右肩装着部１０Ｒは、第２引張体２０ｂの一端４０Ｒから２つに分かれた先を繋いだ円環状に形成されている。第１引張体２０ａおよび第２引張体２０ｂは、一端４０Ｌ、４０Ｒで幅広となり、その先で左肩装着部１０Ｌと右肩装着部１０Ｒの円環状を形成する。第１引張体２０ａと第２引張体２０ｂおよび左肩装着部１０Ｌと右肩装着部１０Ｒは、伸縮性のある素材で形成されている。
【００１３】
左肩装着部１０Ｌと右肩装着部１０Ｒの円環状の直径は、利用者の片腕を挿入して肩までかけることができ、伸縮性を利用して装着した際、利用者の肩が窮屈でなく、肩からずれ落ちない程度の大きさとなっている。
【００１４】
左肩装着部１０Ｌおよび、右肩装着部１０Ｒの横幅は、１ｃｍ〜７ｃｍとすることができ、２ｃｍ〜６ｃｍが好適であり、３ｃｍ〜５ｃｍとすることがより好適である。左肩装着部１０Ｌおよび、右肩装着部１０Ｒの厚みは、横幅より薄く形成されている。これにより、引っ張られても横幅の分だけ力が分散されて痛くなく、かつ、利用者の身体にフィットしてごわつかず、目立たないようにできる。
【００１５】
第１引張体２０ａと第２引張体２０ｂは、紐状あるいはベルト状、帯状に形成されている。この第１引張体２０ａと第２引張体２０ｂは、左肩装着部１０Ｌおよび右肩装着部１０Ｒと同じ素材で形成されている。
【００１６】
第１引張体２０ａと第２引張体２０ｂの長さは、普通人の片方の肩からもう片方の脚の付け根まで程度の長さに形成されている。
【００１７】
第１引張体２０ａと第２引張体２０ｂの横幅は、１ｃｍ〜７ｃｍとすることができ、２ｃｍ〜６ｃｍとすることができ、３ｃｍ〜５ｃｍとすることが好適である。これにより、利用者の身体にフィットしてごわつかず、目立たないようにできる。
【００１８】
左脚装着部７０Ｌは、紐状あるいはベルト状、帯状に形成され、第２引張体２０ｂの一端に接続されている。左脚装着部７０Ｌは、左肩装着部１０Ｌおよび第２引張体２０ｂと同じ素材で形成されている。第２引張体２０ｂとの接続部３０Ｌは、左脚装着部７０Ｌの長さ方向の中央部付近に位置している。
【００１９】
同様に、右脚装着部７０Ｒは、紐状あるいはベルト状、帯状に形成され、第１引張体２０ａの一端に接続されている。右脚装着部７０Ｒは、右肩装着部１０Ｒおよび第１引張体２０ａと同じ素材で形成されている。第１引張体２０ａとの接続部３０Ｒは、右脚装着部７０Ｒの長さ方向の中央部付近に位置している。
【００２０】
左脚装着部７０Ｌ、および右脚装着部７０Ｒの横幅は、１ｃｍ〜７ｃｍとすることができ、２ｃｍ〜６ｃｍが好適であり、３ｃｍ〜５ｃｍとすることがより好適である。左脚装着部７０Ｌおよび右脚装着部７０Ｒの厚みは、横幅より薄く形成されている。これにより、引っ張られても横幅の分だけ力が分散されて痛くなく、かつ、利用者の身体にフィットしてごわつかず、目立たないようにできる。
【００２１】
左脚装着部７０Ｌは、利用者の左大腿裏側付近に配置される接続部３０Ｌから、利用者の左脚の付け根付近外側（左腰付近）を通る外側装着部６０Ｌと、利用者の左脚の付け根付近内側（左股付近）を通る内側装着部８０Ｌとを有し、外側装着部６０Ｌの先端部６１Ｌの外面（利用者が利用した際に身体に接しない面）に面ファスナーのループ（メス）面が、内側装着部８０Ｌの先端部８１Ｌの内面（利用者が利用した際に身体に接する面）に面ファスナーのフック（オス）面が取り付けられている。
【００２２】
同様に、右脚装着部７０Ｒは、利用者の右大腿裏側付近に配置される接続部３０Ｒから、利用者の右脚の付け根付近外側（右腰付近）を通る外側装着部６０Ｒと、利用者の右脚の付け根付近内側（右股付近）を通る内側装着部８０Ｒを有し、外側装着部６０Ｒの先端部６１Ｒの外面に面ファスナーのループ（メス）面が、内側装着部８０Ｒの先端部８１Ｒの内面に面ファスナーのフック（オス）面が取り付けられている。
【００２３】
外側装着部６０Ｌは、利用者の左大腿裏側から左腰付近を通り、内側装着部８０Ｌは、利用者の左大腿裏側から左股付近を通り、先端部６１Ｌ、８１Ｌに取り付けられた面ファスナーを重ね合わせて接着することで、左脚装着部７０Ｌは、円環状となって左脚に装着される。
【００２４】
同様に、外側装着部６０Ｒは、利用者の右大腿裏側から右腰付近を通り、内側装着部８０Ｒは、利用者の右大腿裏側から右股付近を通り、先端部６１Ｒ、８１Ｒに取り付けられた面ファスナーを重ね合わせて接着することで、右脚装着部７０Ｒは、円環状となって右脚に装着される。
【００２５】
図３は、第１誘導体Ａと第２誘導体Ｂが交差する交差部５０を説明する斜視図である。
第１誘導体Ａと第２誘導体Ｂは、第１引張体２０ａと第２引張体２０ｂの中央付近で交差する。第２引張体２０ｂには、第１引張体２０ａとの交差部５０付近に、第１引張体２０ａと第２引張体２０ｂとの交差状態の維持を補助する交差補助体５１が形成されている。
【００２６】
交差補助体５１は、第２引張体２０ｂと同じか、もしくは第２引張体２０ｂより細い幅の、長さ６ｃｍ〜１５ｃｍの帯状で、厚みは、横幅より薄く形成されている。交差補助体５１の長さ方向の両端部５７が第２引張体２０ｂと重なるように縫い付けられ、縫い付けられた両端部５７の内側の長さは、第１引張体２０ａの幅より長くなっている。この両端部５７の内側の長さは第１引張体２０ａの幅の１．５倍以上とすることができ、２倍以上とすることが好ましく、３倍以上とすることがより好ましい。縫い付けられた交差補助体５１と第２引張体２０ｂが形成する挿通孔５６を第１引張体２０ａが挿通し、第１引張体２０ａと第２引張体２０ｂは、固定されることなく交差した形を保つ。
【００２７】
以上の構成により、姿勢誘導用具１は、身体全体を誘導し、バランスを整えることができる。詳述すると、肩甲骨を対側の下半身に向かって引っ張ると同時に、骨盤を対側の上半身に向かって引っ張ることが出来股関節を外転させて骨盤を開くことができる。このため、肩甲骨と骨盤を背中側で互いに引っ張り合わせることができる。こうすることで、背骨に集中している神経に刺激を与え、本来の機能を十分に果たしていなかった部位（省エネモードとなっていた部位）が機能し、その部位の出力が上がる。したがって、調子が悪く力を入れなければならなかった動作について、調子が良くなって、無駄な力を入れずにその動作を行うことができるようになる。また神経から筋肉へ送る信号の出力が上がり、筋力も増加する。そうして、身体全体が軽くなり、視界も明るくなるという効果を得ることが出来る。
【００２８】
利用者は、姿勢誘導用具１を装着する際、まず左肩装着部１０Ｌと右肩装着部１０Ｒをそれぞれ、左腕、右腕を通して左肩、右肩に装着する。第１引張体２０ａと第２引張体２０ｂを背中側に通し、面ファスナーを利用して左脚装着部７０Ｌと右脚装着部７０Ｒをそれぞれ左脚と右脚に固定する。
すなわち、利用者の左肩は、左肩装着部１０Ｌが装着され、第１引張体２０ａによって背中側、右腰方向へ引っ張られ、引っ張られた状態で右脚装着部７０Ｒによって固定される。同様に、利用者の右肩は、右肩装着部１０Ｒが装着され、第２引張体２０ｂによって背中側、左腰方向へ引っ張られ、引っ張られた状態で左脚装着部７０Ｌによって固定される。
【００２９】
これにより、左右の肩甲骨と、反対側の下半身とを引き合わせることができ、効果的に姿勢を伸ばして正しい姿勢とすることができる。このように左右でクロスして肩甲骨と下半身を引っ張り合うことで、左右の肩甲骨を後方へそらして胸を左右方向に張るようにする姿勢誘導と、背中の上方と下半身後方とを引き合わせるようにして胸を上下方向に張るようにする姿勢誘導の両方を同時に効果的に実行することができる。また、左右の骨盤を反対側の肩方向に引き寄せることで、骨盤を内上方へひらき、正しい姿勢とすることができる。肩甲骨を引っ張ることで上半身の誘導と、骨盤を引っ張ることで下半身の誘導とができる。
【００３０】
このようにして、姿勢誘導用具１は、人間が本来持つ力を自然に出力できるように誘導することができる。また、人間が正しく身体を使えるように誘導することができる。詳述すると、姿勢誘導用具１を装着することで、利用者は、骨盤を外上方へひらき、かつ、左右の肩甲骨を後方へそらして胸を左右方向に張る姿勢、すなわち正しい姿勢に誘導される。この正しい姿勢をとることによって、利用者は、本来持つ力を自然に出力することができ、それまでの不適切な姿勢のときと比べて、各種動作の力を強く出すこと、より早い速度で走ること、より高くジャンプすることなどを実現できる。すなわち、この姿勢誘導用具１を装着するだけで、利用者は、各種の運動の記録（速度、距離、重量などの記録）を高めることができる。
【００３１】
また、左肩装着部１０Ｌから右脚装着部７０Ｒに向けて引っ張られ、同じ強さで右肩装着部１０Ｒから左脚装着部７０Ｌに向けて引っ張られることにより、利用者の胸を左右に広げ、かつ、胸を前上方へ張るように反らすことができる。また、右脚装着部７０Ｒから左肩装着部１０Ｌに向けて引っ張り、同じ強さで左脚装着部７０Ｌから右肩装着部１０Ｒに向けて引っ張ることにより、利用者の骨盤を反対側の上半身に開くことができる。これらのことから全身を安定して反らすことができる。
【００３２】
第１引張体２０ａと第２引張体２０ｂが交差している部分は、互いに固定されていないため、それぞれが自由に移動・伸縮できる。これにより、第１引張体２０ａによって左肩を右腰から引っ張ることができ、第２引張体２０ｂによって右肩を左腰から引っ張ることができる。第１引張体２０ａと第２引張体２０ｂの交差部５０で固定すると背中中心から引っ張ることになるが、そうではなく肩と腰を引っ張ることで、効果的に姿勢を正し、身体のバランスを整えることができる。
【００３３】
利用者は、姿勢誘導用具１によって、身体全体を正しい姿勢にすることで、身体のバランスが保たれ、余計な力を使うことなく身体を支えることや、動かすことができる。これにより姿勢誘導用具１は利用者の身体の使い方が偏ることから起こる頭痛や肩こりなどの症状を解消、軽減することもできる。
【００３４】
交差補助体５１は第１引張体２０ａと第２引張体２０ｂを互いに移動や伸縮が可能なように支持され、かつ、姿勢誘導用具１が、第１誘導体Ａと第２誘導体Ｂとでばらばらになることを防止できる。これにより姿勢誘導用具１は、利用者による取り扱いを容易にすることができる。また、様々な利用者の体形に合わせて交差位置の変化を許容できる。それに加えて、利用者が身体を動かした際に、様々な姿勢をとっても第１引張体２０ａと第２引張体２０ｂが柔軟に交差位置を変え、快適な装着性を実現できる。
【００３５】
姿勢誘導用具１は、利用者が衣類の上から装着することができ、姿勢誘導用具１が直接肌に触れることがなく、締め付けや擦れなどを軽減することができる。
【００３６】
利用者は、姿勢誘導用具１によって、身体のバランスが保たれることで、血流や、身体を動かす際の信号の伝達が良好となる。このようにして、利用者の身体状態と精神状態を良好に保つことで、姿勢誘導用具１は、利用者のあらゆる身体の不調を軽減することができる。
【００３７】
この発明は、上述の実施形態の構成のみに限定されるものではなく、多くの実施の形態を得ることができる。
例えば、第１引張体２０ａと第２引張体２０ｂの長さ、左肩装着部１０Ｌと右肩装着部１０Ｒの長さは、送りカンなどを利用して調節することでそれぞれ独立して変更が可能にすることにより、身長や体重など体格の異なる様々な利用者に利用可能とすることもできる。
【００３８】
左脚装着部７０Ｌおよび右脚装着部７０Ｒの装着は、ボタンや送りカンを利用して装着する形としても良い。また、左肩装着部１０Ｌおよび右肩装着部１０Ｒを、左脚装着部７０Ｌおよび右脚装着部７０Ｒのように面ファスナーやボタン等を利用して装着する形としても良い。
【００３９】
交差補助体５１は、本実施例では、第２引張体２０ｂの内側（利用者の身体に触れる面側）に取り付けられているが、第２引張体２０ｂの外側に設けても良く、第１引張体２０ａに設けても良い。第１引張体２０ａに設ける場合、交差補助体５１と第１引張体２０ａによって形成された挿通孔に第２引張体２０ｂが挿通することで同じ役割を果たす。
【産業上の利用可能性】
【００４０】
この発明は、美容を目的とする姿勢誘導あるいは不良姿勢による体調不良の改善に利用することができる。
【符号の説明】
【００４１】
１…姿勢誘導用具
Ａ…第１誘導体
Ｂ…第２誘導体
１０Ｒ…右肩装着部
１０Ｌ…左肩装着部
２０ａ…第１引張体
２０ｂ…第２引張体
７０Ｒ…右脚装着部
７０Ｌ…左脚装着部
５０…交差部
５１…交差補助体
５６…挿通孔
【要約】
【課題】身体全体を正しい姿勢に誘導する姿勢誘導用具を提供することを目的とする。
【解決手段】第１誘導体Ａと第２誘導体Ｂを備え、前記第１誘導体Ａは、利用者の左肩付近に装着される左肩装着部１０Ｌと、前記利用者の右股関節または右太腿の付け根付近に装着される右脚装着部７０Ｒと、前記利用者の背面側を通り、前記左肩装着部１０Ｌと前記右脚装着部７０Ｒとを接続し、互いに近づく方向へ引っ張る第１引張体２０ａと、を有し、前記第２誘導体Ｂは、前記利用者の右肩付近に装着される右肩装着部１０Ｒと、前記利用者の左股関節または左太腿の付け根付近に装着される左脚装着部７０Ｌと、前記利用者の背面側を通り、前記右肩装着部１０Ｒと前記左脚装着部７０Ｌとを接続し、互いに近づく方向へ引っ張る第２引張体２０ｂと、を有する形とした。
【選択図】図１【図１】
0006923124.tif 000002
【図２】
0006923124.tif 000003
【図３】
0006923124.tif 000004